(57)【要約】【課題】画像表示装置を物品収納棚の側面に美観を損なうことなく簡単に取り付け可能な取付構造を提供する。【解決手段】画像表示装置３の取り付けを行う際、画像表示装置３の背面３ｂに固定した取付金具２の引掛部２ａを側板１Ｌの凹部４に設けられた係止部７に引っ掛けた状態で取付金具２を凹部４に嵌合させる。取付金具２が側板１Ｌの凹部４に正常に嵌合したとき、取付金具２の当接部２ｃが側板１Ｌの段部６の前面６ａに当接し、取付金具２の側板１Ｌに対する位置決めがなされる。この状態で、凹部４に設けられた螺子孔９にボルトを螺入し締め付けることにより取付金具２の固着部２ｂが側板１Ｌの凹部４に締着される。その後、側板１Ｌの段部６に補間パネル５Ａ、５Ｂを嵌め込んで取り付ける。【選択図】図２
2011104003.tif 000002
【特許請求の範囲】
【請求項１】
左右の側板（１Ｌ、１Ｒ）と当該左右の側板（１Ｌ、１Ｒ）間に架け渡して設けられた棚板（１Ａ）とを有する物品陳列棚（１）の外側面部に取付金具（２）を介して画像表示装置（３）を取り付ける取付構造において、
前記左右の側板（１Ｌ、１Ｒ）のうち少なくとも一方の側板（１Ｌ、１Ｒ）の外側面部の前後方向中間部に上下に延びる凹部（４）が形成され、
前記取付金具（２）を前記凹部（４）に取り付けた後、前記取付金具（２）の上方と下方に前記補間パネル（５Ａ、５Ｂ）を取り付けたことを特徴とする、物品陳列棚への画像表示装置の取付構造。
【請求項２】
前記凹部（４）の前後両縁部に、補間パネル（５）を嵌め込んで取り付けるための段部（６）が形成されていることを特徴とする、請求項１記載の取付構造。
【請求項３】
前記取付金具（２）は、前記画像表示装置（３）の背面（３ｂ）に固定される金具であり、
前記取付金具（２）の上部には引掛部（２ａ）、下部には固着部（２ｂ）がそれぞれ形成されており、
前記凹部（４）には、前記引掛部（２ａ）を上方から引っ掛けて前後に回動可能に係止するための係止部（７）が設けられており、
前記引掛部（２ａ）を前記係止部（７）に引っ掛けた状態で仮止めし、前記固着部（２ｂ）を前記凹部（４）に固着することを特徴とする、請求項１又は２記載の取付構造。
【請求項４】
前記取付金具（２）の側部には、外方に突出する当接部（２ｃ）が形成され、前記引掛部（２ａ）を前記係止部（７）に引っ掛けた状態で前記取付金具（２）を前記凹部（４）に固着する際に、前記当接部（２ｃ）が前記段部（６）に当接して前記取付金具（２）の上下方向及び前記凹部（４）の深さ方向への位置決めがなされ、その状態で前記取付金具（２）を凹部（４）に固着することを特徴とする、請求項３記載の取付構造。
【請求項５】
前記画像表示装置（３）の外部配線を前記凹部（４）内に収めた、請求項１乃至４記載の取付構造。
【請求項６】
前記凹部（４）内に電源タップ（１０）を設けた、請求項５の取付構造。
【請求項７】
請求項１乃至６のいずれかに記載の取付構造を有する物品陳列棚。
【発明の詳細な説明】
【技術分野】
【０００１】
本発明は、各種情報を表示するための画像表示装置を備えた物品収納棚と、物品陳列棚への画像表示装置の取付構造に関する。
【背景技術】
【０００２】
液晶ディスプレイやプラズマディスプレイなど画像表示装置を部屋の壁に取り付ける構造は公知である（特許文献１）。また、画像表示装置を取り付けた物品陳列棚も公知である（特許文献２）。
しかし、図書館等に設置される比較的重い書籍を収納する書棚に画像表示装置を取り付けた例はない。
【先行技術文献】
【特許文献】
【０００３】
【特許文献１】特開２００９−７７４２号
【特許文献２】特開２００６−６１３１１号
【発明の概要】
【発明が解決しようとする課題】
【０００４】
本発明が解決しようとする課題は、画像表示装置を書棚など物品収納棚の側面に美観を損なうことなく取り付けることができる取付構造と、当該取付構造を有する物品収納棚と、を提供することにある。
【課題を解決するための手段】
【０００５】
［取付構造］
上記課題を解決するために、本発明の取付構造は、左右の側板と当該左右の側板間に架け渡して設けられた棚板とを有する物品陳列棚の外側面部に取付金具を介して画像表示装置を取り付ける取付構造において、
前記左右の側板のうち少なくとも一方の側板の外側面部の前後方向中間部に上下に延びる凹部が形成され、
前記取付金具を前記凹部に取り付けた後、前記取付金具の上方と下方に前記補間パネルを取り付けたことを特徴とする。
【０００６】
この取付構造においては、物品陳列棚への画像表示装置の取り付けを行う際、取付金具を側板の凹部に取り付けた後、前記取付金具の上方と下方に補間パネルを取り付ける。これにより、側板の凹部が補間パネルで塞がれるので、画像表示装置を取付金具を介して物品陳列棚に美観良く取り付けることができる。
【０００７】
本発明の取付構造において、前記凹部の前後両縁部に、補間パネルを嵌め込んで取り付けるための段部が形成されていることが望ましい。
【０００８】
本発明の取付構造において、前記取付金具は、前記画像表示装置の背面に固定される金具であり、
前記取付金具の上部には引掛部、下部には固着部がそれぞれ形成されており、
前記凹部には、前記引掛部を上方から引っ掛けて前後に回動可能に係止するための係止部が設けられており、
前記引掛部を前記係止部に引っ掛けた状態で仮止めし、前記固着部を前記凹部に固着することが望ましい。
【０００９】
本発明の取付構造において、前記取付金具の側部には、外方に突出する当接部が形成され、前記引掛部を前記係止部に引っ掛けた状態で前記取付金具を前記凹部に固着する際に、前記当接部が前記段部に当接して前記取付金具の上下方向及び前記凹部の深さ方向への位置決めがなされ、その状態で前記取付金具を凹部に固着することが望ましい。
【００１０】
本発明の取付構造において、前記画像表示装置の外部配線が前記凹部内に収められていることが望ましい。
【００１１】
本発明の取付構造において、前記凹部内に電源タップが設けられていることが望ましい。
【００１２】
［物品収納棚］
上記課題を解決するために、本発明の物品収納棚は、左右の側板と当該左右の側板間に架け渡して設けられた棚板とを有し、且つ、その外側面部に取付金具を介して画像表示装置が取り付けられている物品陳列棚において、
前記左右の側板のうち少なくとも一方の側板の外側面部の前後方向中間部に上下に延びる凹部が形成され、
前記取付金具を前記凹部に取り付けた後、前記取付金具の上方と下方に前記補間パネルを取り付けたことを特徴とする。
【００１３】
この物品収納棚においては、物品陳列棚への画像表示装置の取り付けを行う際、取付金具を側板の凹部に取り付けた後、前記取付金具の上方と下方に補間パネルが取り付けられる。これにより、側板の凹部が補間パネルで塞がれるので、画像表示装置を取付金具を介して物品陳列棚に美観良く取り付けることができる。
【００１４】
本発明の物品収納棚において、前記凹部の前後両縁部に、補間パネルを嵌め込んで取り付けるための段部が形成されていることが望ましい。
【００１５】
本発明の物品収納棚において、前記取付金具は、前記画像表示装置の背面に固定される金具であり、
前記取付金具の上部には引掛部、下部には固着部がそれぞれ形成されており、
前記凹部には、前記引掛部を上方から引っ掛けて前後に回動可能に係止するための係止部が設けられており、
前記引掛部を前記係止部に引っ掛けた状態で仮止めし、前記固着部を前記凹部に固着することが望ましい。
【００１６】
本発明の物品収納棚において、前記取付金具の側部には、外方に突出する当接部が形成され、前記引掛部を前記係止部に引っ掛けた状態で前記取付金具を前記凹部に固着する際に、前記当接部が前記段部に当接して前記取付金具の上下方向及び前記凹部の深さ方向への位置決めがなされ、その状態で前記取付金具を凹部に固着することが望ましい。
【００１７】
本発明の物品収納棚において、前記画像表示装置の外部配線が前記凹部内に収められていることが望ましい。
【００１８】
本発明の物品収納棚において、前記凹部内に電源タップが設けられていることが望ましい。
【発明の効果】
【００１９】
本発明の取付構造によれば、画像表示装置を書棚など物品収納棚の側面に美観良く取り付けることができる。
本発明の物品収納棚によれば、画像表示装置を側面に美観良く備えた物品収納棚を提供することができる。
【図面の簡単な説明】
【００２０】
【図１】本発明にかかる物品収納棚の実施形態を例示する斜視図
【図２】図１に示す物品収納棚の要部分解斜視図
【図３】（Ａ）：図１に示す物品収納棚の要部側面図  （Ｂ）：図１に示す物品収納棚の要部平面図  （Ｃ）：（Ａ）のＡ−Ａ断面図
【図４】図１に示す物品収納棚が備える取付金具の斜視図
【図５】（Ａ）：図４に示す取付金具の正面図  （Ｂ）：図４に示す取付金具の平面図  （Ｃ）：図４に示す取付金具の平面図
【発明を実施するための形態】
【００２１】
以下、本発明の実施形態について図面を参照して説明する。ここでは、本発明の物品収納棚を、図書館等に設置される比較的重い書籍を収納する書棚に適用した場合を例にとり説明する。
【００２２】
図１及び図２に示すように、この書棚（物品収納棚）１は、左右の側板１Ｌ、１Ｒと、両側板１Ｌ、１Ｒ間に架け渡して設けられた棚板１Ａと、天板１Ｂと、底板１Ｃとを有し、背面部に背板１Ｄが設けられている。そして、左側の側板１Ｌの外側面部に取付金具２を介して画像表示装置３が取り付けられている。取付金具２は、複数の留め螺子１１を使用して画像表示装置３の背面３ｂに締着固定されている。画像表示装置３の画像表示部３ａには、蔵書に関する情報や施設に関する情報など、各種情報が表示される。画像表示装置３として、液晶ディスプレイやプラズマディスプレイ、電子ペーパディスプレイ等、公知のフラットパネルディスプレイ装置が用いられる。
【００２３】
両側板１Ｌ、１Ｒの外側面の前後方向中央部には、上下に延びる矩形状の凹部４が形成されている。凹部４は側板１Ｌ、１Ｒの上端から下端に亘って形成されている。凹部４の前後両縁部には補間パネル５を嵌め込んで取り付けるための段部６が形成されている。左側の側板１Ｌには、その凹部４に取付金具２を嵌合させて取り付けた後、段部６に補間パネル５が嵌め込んで取り付けられている。左側の側板１Ｌに嵌め付けられた補間パネル５は、上側の補間パネル５Ａと下側の補間パネル５Ｂに分割されている。一方、この例では、左側の側板１Ｌだけに画像表示装置３が取り付けられているので、右側の側板１Ｒにはその段部６に一枚構造の補間パネル５が取り付けられているのみである。補間パネル５（５Ａ、５Ｂ）は、これを段部６に嵌め込んで取り付けたときに、その外側面が両側板１Ｌ、１Ｒの前後の外側面と略同一面を成すようにその寸法及び形状が選定されている。
【００２４】
段部６には、補間パネル５（５Ａ、５Ｂ）を着脱自在に係止するための係止孔６ｂが上下に離間して複数箇所に形成されている。補間パネル５（５Ａ、５Ｂ）の裏面側両側部には、係止孔６ｂに係止される引掛部５ｂが係止孔６ｂに対応させて形成されている。これにより、補間パネル５（５Ａ、５Ｂ）は、その引掛部５ｂを段部６の係止孔６ｂに係止させることにより簡単に取り付けることができるようになっている。
【００２５】
取付金具２は、一枚の金属板に切抜加工、塑性加工、等を施すことにより製造された金具である。取付金具２の上部には引掛部２ａ、下部には固着部２ｂ、側部には当接部２ｃがそれぞれ左右に形成されている。
凹部４には、引掛部２ａを上方から引っ掛けて前後に回動可能に係止するための係止部７と、固着部２ｂをボルト８で締着するための螺子孔９とが設けられている。
【００２６】
画像表示装置３の外部配線（図示省略）は、凹部４内に収められている。凹部４内には電源タップ１０が設けられており、画像表示装置３の電源コード（図示省略）が電源タップ１０に接続されている。画像表示装置３の信号コード（データ通信用のコード、アンテナコード、等）は、凹部４内を通して、この書棚１が設置されている床（図示省略）に設けられた信号端子に接続されている。
【００２７】
図３〜図５に示すように、取付金具２は、その中央部に、画像表示装置３の背面３ｂに接合される略方形状のディスプレイ接合部２ｄを有している。ディスプレイ接合部２ｄには、留め螺子１１が挿通される小孔２ｅが複数箇所に形成されている。
取付金具２は、ディスプレイ接合部２ｄの両側から略直角に折曲して側板１Ｌの凹部４側に延びる突出部２ｆ、２ｆと、両突出部２ｆ、２ｆから外方に略直角に折曲した基部２ｇ、２ｇと、両基部２ｇ、２ｇから側板１Ｌ側に略直角に折曲した挿入部２ｈ、２ｈとを有している。両挿入部２ｈ、２ｈの下部は、基部２ｇ、２ｇよりも下方に延びている。挿入部２ｈ、２ｈは、側板１Ｌの凹部４内に挿入される部分である。そして、両挿入部２ｈ、２ｈの上端部に引掛部２ａが、下端部に固着部２ｂが、上下方向中間部に当接部２ｃがそれぞれ形成されている。引掛部２ａは、フック形状に形成されている。固着部２ｂには、ボルト８が挿通される孔２ｉが形成されている。当接部２ｃは、基部２ｇ、２ｇの下端近傍から外方に耳状に張り出している。当接部２ｃは、引掛部２ａを係止部７に引っ掛けた状態で取付金具２を凹部４に嵌合させたときに段部６の前面６ａに当接する部分である。そして、両当接部２ｃが凹部４の両側の段部６の前面６ａに当接したときに、取付金具２の上下方向及び凹部４の深さ方向への位置決めがなされ、固着部２ｂの孔２ｉと凹部４の螺子孔９とが丁度重なり合うように構成されている。
【００２８】
つぎに、上記のように構成された物品収納棚１における画像表示装置３の取り付け方法について説明する。
画像表示装置３の取り付けを行う際、先ず、画像表示装置３の背面に取付金具２を取り付ける。そして、取付金具２の引掛部２ａを側板１Ｌの凹部４に設けられた係止部７に引っ掛けた状態で取付金具２を凹部４に嵌合させる。取付金具２が側板１Ｌの凹部４に適正に嵌合したならば、取付金具２の当接部２ｃが側板１Ｌの段部６の前面６ａに当接し、取付金具２の側板１Ｌに対する上下方向及び凹部４の深さ方向への位置決めがなされ、固着部２ｂの孔２ｉが凹部４の螺子孔９とが丁度重なり合った状態になる。この位置決めがなされた状態で、固着部２ｂの孔２ｉを通して螺子孔９にボルト７を螺入し締め付けることにより取付金具２の固着部２ｂが側板１Ｌの凹部４に締着される。このようにして側板１Ｌへの取付金具２の固定が簡単になされる。
【００２９】
側板１Ｌに取付金具２を固定した後、画像表示装置３の電源コード（図示省略）を凹部４内の電源タップ１０に、信号コード（図示省略）を凹部４内を通して所定の信号端子（図示省略）に、それぞれ接続する。その後、側板１Ｌの段部６に補間パネル５Ａ、５Ｂを嵌め込んで取り付ける。
【００３０】
以上の手順により、物品陳列棚１への画像表示装置３の取り付け及び外部配線（図示省略）の接続が完了する。側板１Ｌの凹部４及び段部６が補間パネル５Ａ、５Ｂで塞がれており、凹部４に収容されている外部配線が補間パネル５Ａ、５Ｂで隠されているので、画像表示装置３を取付金具２を介して取り付けた後における物品陳列棚１の美観は極めて良い。
【００３１】
なお、上記の実施形態の例では、左側の側板１Ｌだけに画像表示装置３が取り付けられているが、右側の側板１Ｒにも上記と同様の手順で画像表示装置３を取り付けることが可能である。
また、上記の実施形態では、画像表示装置３に取付金具２を取り付けた状態で、取付金具２を側板１Ｌに取り付けているが、取付金具２を側板１Ｌに取り付けた後、画像表示装置３を取付金具２に取り付ける構成を採用してもよい。
また、本発明の取付構造によれば、物品収納棚１に取り付けた画像表示装置３が不要になった場合、側板１Ｒから取付金具２を取り外し、側板１Ｒの段部６全体に補間パネル５を取り付けることにより、画像表示装置３を備えていない単なる物品収納棚１とすることができる。
また、上記の実施形態では、比較的重い書籍を収容する書棚を例にとり説明したが、本発明の物品収納棚及び取付構造は、これに限らず、雑誌やパンフレットなど比較的軽量な書籍を収容する書棚、商品陳列用の棚など、多種多様な物品収納棚に有効に適用可能である。
また、本発明の取付構造は、図書館等に既に設置されている物品収納棚の側面部に後付け装着可能な側板ユニットに適用することも可能である。本発明の取付構造を有する側板ユニットは、既設の物品収納棚の側面部に取り付けられる側板部材を有する。この側板部材の外側の構造は、本発明の取付構造における側板の構造と同じであり、側板部材の凹部に取付金具及び側面パネルが簡単に取り付けられるようになっている。側板ユニットを既設の物品収納棚の側板部に後付け装着することにより、既設の物品収納棚によって本発明の取付構造及び本発明の物品収納棚を実現することができる。
【符号の説明】
【００３２】
１  物品陳列棚
１Ａ  棚板
１Ｌ、１Ｒ  側板
２  取付金具
２ａ  引掛部
２ｂ  固着部
２ｃ  当接部
３  画像表示装置
３ｂ  背面
４  凹部
５（５Ａ、５Ｂ）  補間パネル
６  段部
６ａ  前面
７  係止部
８  ボルト
９  螺子孔
１０  電源タップ
【図１】
2011104003.tif 000003
【図２】
2011104003.tif 000004
【図３】
2011104003.tif 000005
【図４】
2011104003.tif 000006
【図５】
2011104003.tif 000007